(57)【要約】【課題】空調機、監視カメラ等の大容量データ装置や火災報知器等の緊急停止装置から制御装置への送信には各々にインターフェイスユニットが必要で、また各データ送信タイミングを制御装置に依存しているため、大容量データ装置が送信を開始するとバスを占有し、優先順位の高い緊急停止装置のデータが適時に送信されない。【解決手段】空調機５、火災報知器等の緊急停止装置４、監視カメラ等の大容量データ装置１４のデータ送受信を行う第１〜３の送受信デバイス部６ａ〜ｃと、各機器からの受信データにより優先レベルを検知する検知手段を備え、第３の送受信デバイス部６ｃは、各機器から受信したデータを制御装置に送信し、優先順位を管理して優先順位の高い機器からのデータ受信時に大容量データ送信を停止し、空調機、監視カメラ等の大容量データ装置、火災報知器等の緊急停止装置の優先レベル毎に、各機器の情報を効率よく制御装置３に伝達できる。【選択図】図１
2007192489.tif 000002
【特許請求の範囲】
【請求項１】
空調機優先順位コードのデータを受信する第２送受信デバイス部と、第２送受信デバイス部で受信した空調機優先順位コードのデータを一時保管する第1メモリ手段と、空調機と第２送受信デバイス部を結ぶ第３伝送路と、監視カメラ等の大容量データ装置優先順位コードのデータを受信する第１送受信デバイス部と、第１送受信デバイス部で受信した監視カメラ等の大容量データ装置優先順位コードのデータを一時保管する第２メモリ手段と、監視カメラ等の大容量データ装置と第１送受信デバイス部を結ぶ第４伝送路と、メモリ手段に一時保管される空調機優先順位コードの優先順位レベルがすでに設定され、その優先順位レベルの高低により割り込み指令データを送信する優先順位レベル判定手段と、制御装置と火災報知器等の緊急停止装置間のデータ送受信を行い優先順位レベル判定手段からの指令により火災報知器等の緊急停止装置データから空調機の運転状態データおよび監視カメラ等の大容量データを制御装置に送信する第３送受信デバイス部と、制御装置と第３送受信デバイス部を結ぶ第１伝送路と、火災報知器等の緊急停止装置と第３送受信デバイス部を結ぶ第２伝送路とを備えたインターフェイスユニット。
【請求項２】
優先順位レベル判定手段の代りに、火災報知器等の緊急停止装置の接続台数による通信データ量の差異により空調機および監視カメラ等の大容量データ装置の情報データを送信する時間を決定し第３送受信デバイス部に指示する接続台数検知手段を備えた請求項１に記載のインターフェイスユニット。
【請求項３】
優先順位レベル判定手段の優先順位レベルを切り換える優先順位レベル設定スイッチを備えた請求項1に記載のインターフェイスユニット。
【発明の詳細な説明】
【技術分野】
【０００１】
本発明は、1台で空調機と監視カメラ等の大容量データ装置の情報データ、優先順位の高い火災報知器等の緊急停止装置の情報を効率よく、制御装置部に伝えるインターフェイスユニットに関するものである。
【背景技術】
【０００２】
従来のインターフェイスユニットとしては、空調機データや監視カメラ等の大容量データ装置の情報データ、火災報知器等の緊急停止装置データを管理・制御していたものがあった。図４は、従来のブロック図を示すものである。
【０００３】
従来のインターフェイスユニット1は、図４に示すように空調機５と火災報知器等の緊急停止装置４のデータは、それぞれがインターフェイスユニット１ａ、およびインターフェイスユニット１ｂを有し、各種状態を制御装置３へ独立して情報伝達が行われていた（例えば、特許文献１参照）。
【特許文献１】特開平１１―２０６０１４号公報
【発明の開示】
【発明が解決しようとする課題】
【０００４】
しかしながら、上記従来の構成では、空調機データ、監視カメラ等の大容量データ装置の情報データおよび火災報知器等の緊急停止装置データを制御装置へ送信するには、それぞれにインターフェイスユニットが個々に必要であり、また、各インターフェイスユニットが、データを送信するタイミングを制御装置に依存しているため、空調機データ、監視カメラ等の大容量データ装置の情報データおよび火災報知器等の緊急停止装置の接続台数および通信量の負荷の増減違いが判定できず、特に緊急停止データのように、情報として常に要求されるものに対して、空調機データの接続台数、通信量の負荷が低い場合にまた、監視カメラ等の大容量データ装置の情報データの接続台数が少ない場合にでも緊急停止データの送信タイミングは変わらないという課題があった。
【０００５】
本発明はこのような従来の課題を解決するものであり、インターフェイスユニット１台で、空調機データ、監視カメラ等の大容量データ装置の情報データと火災報知器等の緊急停止装置データを各接続機器の台数および優先順位により効率よく制御装置への送信データの切り換えを行うことができるインターフェイスを提供することを目的とする。
【課題を解決するための手段】
【０００６】
上記課題を解決するために本発明のインターフェイスユニットは、監視カメラ等の大容量データ装置優先順位コードのデータを受信する第１送受信デバイス部と、第１送受信デバイス部で受信した、監視カメラ等の大容量データ装置優先順位コードのデータを一時保管するメモリ手段と、空調機優先順位コードのデータを受信する第２送受信デバイス部と、第２送受信デバイス部で受信した空調機優先順位コードのデータを一時保管するメモリ手段と、空調機と第２送受信デバイス部を結ぶ第３伝送路と、監視カメラ等の大容量データ装置と第1送受信デバイス部を結ぶ第４伝送路と、第1メモリ手段に一時保管される空調機優先順位コード、第２メモリ手段に一時保管される監視カメラ等の大容量データ装置優先順位コードの優先順位レベルがすでに設定され、その優先順位レベルの高低により割り込み指令データを送信する優先順位レベル判定手段と、制御装置と火災報知器等の緊急停止装置間のデータ送受信を行い優先順位レベル判定手段からの指令により火災報知器等の緊急停止装置データから空調機の運転状態データ、監視カメラ等の大容量データ装置の情報データを制御装置に送信する第３送受信デバイス部と、制御装置と第３送受信デバイス
部を結ぶ第１伝送路と、火災報知器等の緊急停止装置と第３送受信デバイス部を結ぶ第２伝送路とを備えたものである。
【０００７】
上記構成によって、空調機および監視カメラ等の大容量データ装置の接続台数の増加減の監視を行い、火災報知器等の緊急停止装置と空調機、監視カメラ等の大容量データ装置の情報を効率よく制御装置に伝達することができる。
【発明の効果】
【０００８】
本発明のインターフェイスユニットは、１台で制御装置と空調機、監視カメラ等の大容量データ装置および火災報知器等の緊急停止装置データの送受信が行え、火災報知器等の緊急停止装置データを優先させながら、空調機、監視カメラ等の大容量データ装置の最適な割り込みタイミングを自動で判定することができる。
【発明を実施するための最良の形態】
【０００９】
第1の発明は、大容量データ装置優先順位コードのデータを受信する第１送受信デバイス部と、第１送受信デバイス部で受信したデータを一時保管するメモリ手段と、空調機優先順位コードのデータを受信する第２送受信デバイス部と、第２送受信デバイス部で受信したデータを一時保管するメモリ手段と、空調機と第２送受信デバイス部を結ぶ第３伝送路と、大容量データ装置と第1送受信デバイス部を結ぶ第４伝送路と、第1メモリ手段に一時保管される空調機優先順位コード、第２メモリ手段に一時保管される優先順位レベルの高低により割り込み指令データを送信する優先順位レベル判定手段と、制御装置と緊急停止装置間のデータ送受信を行い優先順位レベル判定手段からの指令により緊急停止装置データから空調機の運転状態データ、大容量データ装置の情報データを制御装置に送信する第３送受信デバイス部と、制御装置と第３送受信デバイス部を結ぶ第１伝送路と、緊急停止装置と第３送受信デバイス部を結ぶ第２伝送路とを備えたものである。
【００１０】
この構成により、１台で制御装置と空調機、監視カメラ等の大容量データ装置の情報データおよび火災報知器等の緊急停止装置データの送受信が行え、火災報知器等の緊急停止装置データを優先させながら、空調機、監視カメラ等の大容量データ装置の最適な割り込みタイミングを自動で判定することができ、それにより制御装置は火災報知器等の緊急停止装置データからの変化を即時に検知できるという効果を奏する。
【００１１】
第２の発明は、特に第１の発明の優先順位レベル判定手段の代りに、火災報知器等の緊急停止装置の接続台数による通信データ量の差異により空調機および監視カメラ等の大容量データ装置の情報データを送信する時間を決定し第３送受信デバイス部に指示する接続台数検知手段を備えたものである。
【００１２】
この構成により、火災報知器等の緊急停止装置の接続台数に応じて、火災報知器等の緊急停止装置データを優先させながら、最適な送信時間を自動で判定することができ、それにより制御装置は火災報知器等の緊急停止装置データからの変化を即時に検知できるという効果を奏する。
【００１３】
第３の発明は、特に第１の発明において優先順位レベル判定手段の優先順位レベルを切り換える優先順位レベル設定スイッチを備えたものであり、手動でより細かく空調機、監視カメラ等の大容量データ装置の情報データの設置環境に最適な送信時間を設定することができるという効果を奏する。
【００１４】
以下本発明の実施の形態について図面を参照して説明する。
【００１５】
（実施の形態１）
図１は、本発明のインターフェイスユニットの一実施形態を適用したブロック図である。
【００１６】
図１において、第３送受信デバイス部６ａは、制御装置３と伝送路２ａを介して、火災報知器等の緊急停止装置４は伝送路２ｂを介して接続され送受信を行う。第２送受信デバイス部６ｂは、伝送路２ｃ上の空気調和器５の空調機優先順位コードデータを受信するものである。第1送受信デバイス部６ｃは、伝送路２ｄ上の監視カメラ等の大容量データ装置１４の優先順位コードデータを受信するものである。第1メモリ手段８は、受信した空調機５の優先順位コードデータを一時保管する手段を備えるものである。第２メモリ手段９は、受信した監視カメラ等の大容量データ装置１４の優先順位コードデータを一時保管する手段を備えるものである。優先順位レベル判定手段７は、第1メモリ手段８および第２メモリ手段９に一時保管される優先順位コードデータの優先順位のレベルと台数から接続している空調機５、監視カメラ等の大容量データ装置１４それぞれの1分間で送信する回数を判定し、そのタイミングで第３送受信デバイス部６ａに第1メモリ手段８および第２メモリ手段９で一時保管されている空調機５、監視カメラ等の大容量データ装置１４の情報データを送信するよう割り込み指令データを送信するものである。
【００１７】
以上のように構成された本実施の形態のインターフェイスユニットについて、次にその動作を説明する。
【００１８】
まず始めに、制御装置３からの一定間隔で送信されるデータ要求コマンドに対し、第３送受信デバイス６ａが制御装置３へ火災報知器等の緊急停止装置４のデータ送信を行う。また、第1メモリ手段８は、第２送受信デバイス部６ｂが受信した空調機、第２メモリ手段９は、第1送受信デバイス部６ｄが受信した監視カメラ等の大容量データ装置の情報データの一時保管を開始する。優先順位レベル判定手段７は、第1メモリ手段８および第２メモリ手段９の受信優先順位コードを監視し、優先順位コードのレベルと台数をカウントする。優先順位レベルは１６段階（０〜Ｆ）で設定可能であり（仮に空調機５の優先順位レベル４、監視カメラ等の大容量データ装置１４の優先順位レベル３）、優先順位レベルと台数からデータテーブル（台数×優先順位レベル）により、１分間に送信する回数を決定し、優先順位レベル判定手段７が第３送受信デバイス部６ａに送信データの切り換えを要求する割り込み指令データを送信回数より１分間に等間隔で送信する。送受信デバイス６ａは、割り込み指令データを受信すると制御装置３から一定間隔で送られてくるデータ要求コマンドに対し火災報知器等の緊急停止装置４データから第1メモリ手段８および第２メモリ手段９に一時保管されている空調機および監視カメラ等の大容量データ装置の情報データを送信する。１分毎に送信回数を決定し、この動作を繰り返す。
【００１９】
以上のように、本発明のインターフェイスユニットは、１台で制御装置３と空調機５、監視カメラ等の大容量データ装置１４および火災報知器等の緊急停止装置４データの送受信が行え、火災報知器等の緊急停止装置４データを優先させながら、空調機５および監視カメラ等の大容量データ装置１４の最適な割り込みタイミングを自動で判定することができ、それにより制御装置３は火災報知器等の緊急停止装置４データからの変化を即時に検知できるようにすることができる。
【００２０】
（実施の形態２）
図２は、本発明のインターフェイスユニットの一実施形態を適用したブロック図であり、実施の形態１における優先順位レベル判定手段７の代りに接続台数検知手段１２を備えている。図２において、図１と同じ構成要素については同じ符号を用い、説明を省略する。
【００２１】
図２において、接続台数検知手段１２は、制御装置３からの一定間隔のデータ要求コマ
ンドに対する火災報知器等の緊急停止装置４の送信データにより、接続台数を検知し、接続台数により設定された第1メモリ手段８に一時保管された空調機および第２メモリ手段９に一時保管された監視カメラ等の大容量データ装置の情報データを送信する時間を決定するものである。設定時間経過検知手段１０は、第１タイマー手段１１ｂが計測している時間を監視し、接続台数検知手段１２で決定された時間が経過すれば、そのタイミングで割り込み指令データを送信するものである。
【００２２】
以上のように構成された本実施の形態のインターフェイスユニットについて、次にその動作を説明する。
【００２３】
まず始めに、制御装置３からの一定間隔で送信されるデータ要求コマンドに対し、送受信デバイス６ａが制御装置３へ火災報知器等の緊急停止装置４のデータ送信を行い、接続台数検知手段１２は、火災報知器等の緊急停止装置データは通信バイト数が定量であるため、通信バイト数で接続台数をカウントする。また、第1メモリ手段８は、第２送受信デバイス部６ｂが受信した空調機の一時保管および第２メモリ手段９は、第１送受信デバイス部６ｄが受信した監視カメラ等の大容量データ装置の情報データの一時保管を開始する。送信時間経過検知手段１０は、第１タイマー手段１１ｂが接続台数検知手段１２が設定した時間経過したかを監視する。送信時間検知手段１０は、第１タイマー手段１１ｂが設定時間経過を検知すれば、第３送受信デバイス部６ａに送信データの切り換えを要求する割り込み指令データを送信する。送受信デバイス６ａは、割り込み指令データを受信すると制御装置３からの一定間隔で送られてくるデータ要求コマンドに対し火災報知器等の緊急停止装置４データから第1メモリ手段８および第２メモリ手段９に一時保管されている空調機５および監視カメラ等の大容量データ装置１４の情報データを送信する。送信後、制御装置３からのデータ要求に対し火災報知器等の緊急停止装置５データ送信に切り換える。以降、この動作を繰り返す。
【００２４】
以上のように、本発明のインターフェイスユニットは、火災報知器等の緊急停止装置４の接続台数に応じて、火災報知器等の緊急停止装置４データを優先させながら、空調機５および監視カメラ等の大容量データ装置１４の最適な送信時間を自動で判定することができできる。
【００２５】
（実施の形態３）
図３は、本発明のインターフェイスユニットの一実施形態を適用したブロック図である。図３において、図１と同じ構成要素については同じ符号を用い、説明を省略する。
【００２６】
図３において、優先順位レベル設定スイッチ１３は、優先順位レベル判定手段７が、送信回数を決定する機器の優先順位レベルを手動で設定するものである。
【００２７】
そして、この実施の形態によれば、優先順位レベル設定スイッチ１３は、８ビット構成のスイッチであり、空調機５および監視カメラ等の大容量データ装置１４の優先順位レベルを０〜Ｆの範囲で変更することにより、空調機５および監視カメラ等の大容量データ装置１４の情報データの最適な送信時間を空調機５および監視カメラ等の大容量データ装置１４の接続台数や優先順位レベルに合わせ、より細かく手動で設定することができる。
【産業上の利用可能性】
【００２８】
以上のように、本発明にかかるインターフェイスユニットは、1つのバスライン上に複数の端末を設置し、特に情報を再優先させたい端末を、端末台数に影響無く情報を取り出せることが可能となるので、ビルおよび学校等のセキュリティ管理等の用途にも適用できる。
【図面の簡単な説明】
【００２９】
【図１】本発明の第１の実施の形態を示すブロック図
【図２】本発明の第２の実施の形態を示すブロック図
【図３】本発明の第３の実施の形態を示すブロック図
【図４】従来のブロック図
【符号の説明】
【００３０】
１  インターフェイスユニット
２ａ〜２ｄ  伝送路
３  制御装置
４  火災報知器等の緊急停止装置
５  空調機
６ａ〜６ｃ  送受信デバイス部
７  優先順位レベル判定手段
８  第1メモリ手段
９  第２メモリ手段
１０  設定時間経過検知手段
１１  タイマー手段
１２  接続台数検知手段
１３  優先順位レベル設定スイッチ
１４  監視カメラ等の大容量データ装置
【図１】
2007192489.tif 000003
【図２】
2007192489.tif 000004
【図３】
2007192489.tif 000005
【図４】
2007192489.tif 000006